(57)【特許請求の範囲】
【請求項１】
クロチアニジン０．０１〜０．６重量部および昆虫誘引性物質を含有する液体殺虫組成物が担持された直径０．４〜８ｍｍのセルロース製多孔質粒子が収容されている容器と、当該容器の開口部を覆うための複数の小孔および／またはスリットが設けられた蓋部とを備え、前記セルロース製多孔質粒子と液体殺虫組成物の重量比が１：１〜３．５の範囲であることを特徴とするハエ類駆除用誘引殺虫用具。
【請求項２】
容器に複数の複数の小孔および／またはスリットが設けられたことを特徴とする請求項１に記載のハエ類駆除用誘引殺虫用具。
【請求項３】
請求項１または２のいずれか１項に記載のハエ類駆除用誘引殺虫用具を、ハエ類が生息する場所に設置することを特徴とするハエ類の殺虫方法。
【発明の詳細な説明】
【技術分野】
【０００１】
本発明は飛翔害虫駆除用の誘引殺虫用具に関する。
【背景技術】
【０００２】
ハエやコバエ（主にショウジョウバエ）等の飛翔害虫の駆除を目的として、殺虫性物質および昆虫誘引性物質を含有する溶液を、不織布やスポンジなどの吸液性担体に担持させ、これを、開口部を有する容器に収納した昆虫捕獲器が知られている（特許文献１〜３）。また害虫誘引剤を含有したゲル粒を収納した害虫捕獲器も知られている（特許文献４）。
【先行技術文献】
【特許文献】
【０００３】
【特許文献１】特開２０１２−１４３１７３号公報
【特許文献２】特開２０１１−１４２８９１号公報
【特許文献３】特開２０１２−１６２５２１号公報
【特許文献４】ＷＯ２００８／０６２６１３号
【発明の開示】
【発明が解決しようとする課題】
【０００４】
特許文献１〜３に記載の形状担体では、空気と接する表面積が限られ、昆虫誘引性物質の蒸散の効率は高いものではない。
また、特許文献４のゲル粒は粘着性を有しており、粒同士が互いに粘着するため空気との接触表面積が減少し、昆虫誘引性物質の蒸散効率が低下する。さらにゲル粒は、含有液の減少に伴い体積が縮小し、昆虫誘引性物質の蒸散を困難にする。
【課題を解決するための手段】
【０００５】
このような状況下、本発明者は鋭意検討した結果、液体殺虫組成物の吸液担体として吸液性のセルロース製多孔質粒子を使用することで、吸液性担体から昆虫誘引性物質を長期にわたり効率よく蒸散させることが可能となり、飛翔害虫を昆虫捕獲器内に効率的に誘引し、より確実に駆除できることを見出した。
すなわち本発明は、殺虫性化合物および昆虫誘引性物質を含有する液体殺虫組成物（以下、本発明組成物という）が担持されたセルロース製多孔質粒子が収容されている容器を備えた飛翔害虫駆除用誘引殺虫用具（以下、本発明殺虫用具という）に関するものである。
【発明の効果】
【０００６】
本発明殺虫用具を飛翔害虫の生息場所に設置することにより、吸液性担体からの昆虫誘引性物質を効率よく蒸散させて、飛翔害虫を用具内に効率的に誘引し、より確実に飛翔害虫を駆除することができる。
また、本発明殺虫用具を使用することにより、従前の板状ないしブロック状の液体担体を備えた飛翔害虫捕獲器の問題点、即ち殺虫性物質を摂取した後、苦悶虫が容器外に飛び出し、用具設置場所周辺に飛翔害虫の死骸が散在することによる汚染の問題も解決することができる。
【図面の簡単な説明】
【０００７】
【図１】本発明殺虫用具の蓋部をあけた斜視図である。
【図２】別形状の本発明殺虫用具の透視図である。
【図３】別形状の本発明殺虫用具の透視図である。
【発明を実施するための最良の形態】
【０００８】
本発明に使用する殺虫性化合物としては、昆虫忌避性のないものを用いることができるが、食毒性を有するネオニコチノイド系化合物や、フェニルピラゾール系化合物が好ましく、特にネオニコチノイド系化合物が好ましい。殺虫性化合物の本発明組成物中へ添加量は、化合物の種類にもよるが通常０．０１〜５重量％である。ネオニコチノイド系化合物の本発明組成物中への添加量は０．０１〜３重量％である。またフェニルピラゾール系化合物の発明組成物中への添加量は０．００５〜０．３重量％である。
【０００９】
ネオニコチノイド系化合物の中ではクロチアニジンが特に好ましく、本発明組成物中への添加量は０．０１〜０．６重量％である。クロチアニジンを使用する場合、適宜エタノールやグリコールエーテル系溶剤、Ｎ−メチルピロリドンなどの極性溶剤を添加し、クロチアニジンの溶解を補助し、本発明組成物中のクロチアニジン含量を高くすることも可能である。
【００１０】
本発明に使用する昆虫誘引性物質としては、たとえば酢類、酒類、果汁、乳酸菌飲料、香料があげられる。本発明組成物中への昆虫誘引性物質の添加量は通常０．５〜９９．９重量％、好ましくは１０〜９０重量％である。
【００１１】
酢類としては、醸造酢、穀物酢、米酢、黒酢、果実酢、ワインビネガー等をあげることができる。  
【００１２】
酒類としては、清酒、ワイン、梅酒、ウイスキー、焼酎、ミリン、黄酒等をあげることができる。  
【００１３】
果汁の例としてはブドウ、パイナップル、メロン、スイカ、イチゴ、リンゴ、モモ、ミカン、マンゴー、グァバの果汁があげられる。これらの果汁は果物から直接搾取したもの、濃縮還元した加工品のいずれでも使用することができる。
【００１４】
乳酸菌飲料の例としては、カルピス（商品名、カルピス株式会社）、のむヨーグルト（商品名、株式会社明治）、ヤクルト（商品名、株式会社ヤクルト本社）などが挙げられる。
【００１５】
香料の例としては食品香料が好ましく、各種フルーツフレーバー、各種フルーツエッセンス、ヨーグルトフレーバー、ヨーグルトエッセンス、バニラエッセンスなどがあげられる。
【００１６】
これらの酢類、酒類、果汁、乳酸菌飲料、香料は同じ群から、単独または２種以上を選択してもよく。また群をまたいで２種以上選択してもよい。
【００１７】
また、その他の昆虫誘引性物質も添加することができ、例えばショ糖、ブドウ糖、ソルビトール等の糖類や酵母エキス等があげられる。これらは単独または２種以上を選択してもよい。
【００１８】
本発明組成物には溶剤、殺虫性化合物を溶解するための補助溶剤を加えることができる。溶剤としては水である。また、補助溶剤としては、殺虫性化合物を溶解し、かつ水と混和する溶剤が好ましい。補助溶剤としては低級アルコール、グリコールエーテル系溶剤、Ｎ−メチルピロリドン等があげられる
【００１９】
本発明組成物を担持させるセルロース製多孔質粒子は、主材質はセルロースであり、内部に多数の細孔を有し、外部に開口している開気孔を有するものである。該セルロース製多孔質粒子の空隙率は８０％以上、好ましくは９０％以上である。また吸液後、粒子の形状が変化しないことが好ましい。
本発明組成物に用いられるセルロース製多孔質粒子の形状は特に限定されないが、好ましくは球状であり、その直径は好ましくは０．４〜８ｍｍであり、さらに好ましくは、２〜６ｍｍである。このようなセルロース製多孔質粒子としては、例えばレンゴー株式会社のピスコパールＡやピスコパールＰがあげられる。
【００２０】
本発明組成物をセルロース製多孔質粒子に担持させる方法は、特殊な技術等は必要なく、セルロース製多孔質粒子に液状の本発明組成物を均一に含侵させることにより得られる。セルロース製多孔質粒子と本発明組成物の重量比は、通常１：１〜１：３．５である。
【００２１】
本発明殺虫用具は、様々な形態が可能である。例として、本発明組成物が担持されたセルロース製多孔質粒子が収容されている容器と、当該容器の開口部を覆う蓋部とを備え、当該蓋部には当該粒子が収納される場所に連通する複数の小孔および／またはスリットが設けられている形態があげられる。
【００２２】
また、本発明組成物が担持されたセルロース製多孔質粒子が収容されている容器に外部に連通する複数の小孔および／またはスリットが設けられている形態もあげられる。この形態は、容器に設ける小孔の直径やスリットの幅を、セルロース製多孔質粒子の直径よりも小さくする場合に可能となる。また容器開口部を覆う蓋部にも複数の小孔またはスリットを設けてもよい。
【００２３】
本発明殺虫用具を、種々の飛翔害虫、特にハエ類（イエバエ、クロイエバエ、オオイエバエ、ヒメイエバエ、ツヤホソバエ、クロバエ、ニクバエ等）の他、いわゆるコバエ（ウスグロショウジョウバエ、ヒョウモンショウジョウバエ、オナジショウジョウバエ、ニセオトヒメショウジョウバエ、フサショウジョウバエ、シマショウジョウバエ、コシアキノミバエ、オオキモンノミバエ、キイロショウジョウバエ、クロショウジョウバエ、コシアキノミバエ、ナガサキニセケバエ、ニセケバエ、チビクロバネキノコバエ、フサヒゲハヤトビバエ等）が生息している場所に設置することにより、効率よく捕獲、殺虫することができる。
【００２４】
なお、本発明殺虫用具は有効成分としての本発明組成物が蒸散しても、新たに本発明組成物を補充することにより、繰り返し使用でき、長期にわたり飛翔害虫駆除用の用具として使用できる。
【実施例】
【００２５】
以下に、実施例をもって本発明をさらに具体的に説明するが、本発明はこれらの実施例に限定されるものではない。
【００２６】
（実施例１）
クロチアニジン（住友化学株式会社製）０．１重量部をＮ−メチルピロリドン（関東化学株式会社）８重量部に溶解し、これに米酢２５重量部、ブドウ酒２８重量部、ショ糖１重量部、および水３８．９重量部を添加した後、攪拌し本発明組成物−１を得た。１３ｇの本発明組成物−１をセルロース製多孔質球状粒子（ビスコパールＡ、粒子径約４ｍｍ、レンゴー株式会社製）３．５ｇに含浸させた。１８時間後、該吸液担体を内径６．０ｃｍ、高さ２．５ｃｍのプラスチック円筒形容器に入れ、該容器の開口部に上部開口部の直径が４．０ｃｍ、下部開口部の直径が６．０ｃｍで側面に複数の昆虫侵入孔およびスリットを設けた高さ６ｃｍの円錐台状容器（以下、蓋部と記す）を載置し、本発明殺虫用具１を得た。
【００２７】
（比較例１）
上記実施例１におけるセルロース製多孔質球状粒子（ビスコパールＡ）３．５ｇに代えて吸水性ポリマーペレット（アクアコークＣ  住友精化株式会社製）０．５ｇを用いた以外は実施例１と同様にして殺虫用具−Ａを得た。
【００２８】
（比較例２）
直径５．５ｃｍ、高さ１．５ｃｍの円柱形ウレタンスポンジを、内径６．０ｃｍ、高さ２．５ｃｍのプラスチック製カップ容器に入れ、次いで該容器に１３ｇの本発明組成物−１を注加し、１８時間放置した後、上記実施例１と同様の蓋部を用い、該容器に載置し殺虫用具−Ｂを得た。
【００２９】
（試験例１）
本発明殺虫用具−１および殺虫用具−Ａを２５℃の恒温条件下に置き、設置直後、７日後、１４日後に各々の殺虫用具の蓋部を外し、セルロース製多孔質球状粒子および吸液性ポリマー各１０粒を採取、長径を測定し平均値を算出した。結果を表１に示す。
【００３０】
【表１】
0006762120.tif 000002
【００３１】
（試験例２）
１００メッシュナイロンゴースで６面を覆った一辺５０ｃｍの立方体のケージを床に設置した。このケージの床面の中心に本発明殺虫用具−１を設置した。また昆虫の餌となる３％砂糖水２０ｍＬを含ませた脱脂綿を入れたカップを床面の角部に置き、キイロショウジョウバエをケージ内に１０８頭を放ちケージを閉じた。室温２５℃にケージを置き、２４時間後、容器内の死骸数および殺虫用具の周辺１０ｃｍ以内の床面上の死骸数をカウントし、両者の割合を求めた。
併せて殺虫用具−Ｂ、キイロショウジョウバエ１０７頭を用いて同様にして試験した。結果を表１に示す。
【００３２】
【表２】
0006762120.tif 000003
【００３３】
試験の結果本発明の殺虫用具−１は、ショウジョウバエの用具内死骸数の割合が高く、用具周辺のショウジョウバエの死骸数が、比較の殺虫用具−Ｂと比べて著しく低かった。
【産業上の利用可能性】
【００３４】
昆虫誘引性物質を吸液性担体から長期にわたり効率よく蒸散させて、飛翔害虫を昆虫捕獲器内に効率的に誘引し、より確実に駆除することである。
【符号の説明】
【００３５】
１  ：本殺虫組成物含侵セルロース製多孔質球状粒子
２  ：容器
３  ：スリット
４  ：小孔
５  ：蓋部
６  ：本殺虫組成物含侵セルロース製多孔質球状粒子
７  ：小孔
８  ：蓋部
９  ：スリット
１０：カップ容器
１１：容器
１２：蓋部兼衝立部
１３：小孔
１４：本殺虫組成物含侵セルロース製多孔質球状粒子
【図１】
0006762120.tif 000004
【図２】
0006762120.tif 000005
【図３】
0006762120.tif 000006